(57)【要約】  本開示は、時間周波数同期方法、ネットワーク機器及び端末を提供する。端末に応用される時間周波数同期方法において、ダウンリンク信号を受信するためにアイドル状態又は非連続受信状態からウェイクアップする必要があると判定した後に、ネットワーク機器から送信された時間周波数同期のための物理信号を受信することと、物理信号に基づいて時間周波数同期を行うこととを含む。【選択図】図４
2021510246.tif 000002
【特許請求の範囲】
【請求項１】
ネットワーク機器に応用される時間周波数同期方法において、
アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するステップを含む、時間周波数同期方法。
【請求項２】
アイドル状態又は非連続受信状態の端末に、前記端末をウェイクアップしてダウンリンク信号の受信を行うためのウェイクアップ信号を送信する場合、アイドル状態又は非連続受信状態の端末がダウンリンク信号を受信するためにウェイクアップする必要があると判定し、又は、
アイドル状態又は非連続受信状態の端末に、前記端末がスリープし続けることを指示するためのスリープ信号を所定時刻に送信しない場合、アイドル状態又は非連続受信状態の端末がダウンリンク信号を受信するためにウェイクアップする必要があると判定する、請求項１に記載の時間周波数同期方法。
【請求項３】
前記時間周波数同期のための物理信号を前記端末に送信するステップの前に、
前記物理信号の系列を生成するステップを更に含む、請求項２に記載の時間周波数同期方法。
【請求項４】
前記物理信号の系列は、Ｇｏｌｄ系列、ｍ系列、ＺＣ系列及びコンピュータ生成系列ＣＧＳのうちのいずれかである、請求項３に記載の時間周波数同期方法。
【請求項５】
前記物理信号の系列を生成するステップは、
セル識別子Ｃｅｌｌ  ＩＤ、前記端末のＩＤ、端末が属する端末グループのＩＤのうちの少なくとも１つに基づいて、前記物理信号の系列のネットワーク機器を生成するステップを含む、請求項３に記載の時間周波数同期方法。
【請求項６】
前記端末のＩＤは、前記端末の国際移動加入者識別符号ＩＭＳＩ及び国際移動機器識別符号ＩＭＥＩのうちの少なくとも１つによって決定され、及び／又は、
前記端末が属する端末グループのＩＤは、前記端末が属する端末グループにおける端末のＩＭＳＩ及びＩＭＥＩのうちの少なくとも１つによって決定される、請求項５に記載の時間周波数同期方法。
【請求項７】
前記物理信号の系列を決定するためのＩＤを前記端末に送信するステップを更に含む、請求項５に記載の時間周波数同期方法。
【請求項８】
前記時間周波数同期のための物理信号を前記端末に送信するステップは、
前記物理信号の設定情報を決定するステップと、
前記設定情報に基づいて、前記物理信号を前記端末に送信するステップとを含む、請求項２に記載の時間周波数同期方法。
【請求項９】
前記物理信号の設定情報を前記端末に送信するステップを更に含み、又は、
前記物理信号の設定情報を決定するステップは、
予め定義された物理信号の設定情報を取得するステップを含む、請求項８に記載の時間周波数同期方法。
【請求項１０】
前記物理信号の設定情報を前記端末に送信するステップは、
前記物理信号の設定情報を無線リソース制御ＲＲＣシグナリングにより前記端末に送信するステップ、又は、
前記ウェイクアップ信号により前記物理信号の設定情報を前記端末に送信するステップを含む、請求項９に記載の時間周波数同期方法。
【請求項１１】
前記設定情報には、前記物理信号の時間周波数リソース位置が含まれ、前記時間周波数リソース位置は、前記物理信号の占有する無線フレーム内で占有する時間周波数リソース位置及び前記物理信号の占有するタイムスロット内で占有する時間周波数リソース位置のうちの少なくとも一方を含む、請求項８に記載の時間周波数同期方法。
【請求項１２】
前記物理信号の設定情報を決定するステップは、
前記ウェイクアップ信号の送信時刻及び時間オフセットＴ１（０≦Ｔ１≦Ｔ０（Ｔ０：前記ウェイクアップ信号とページング時刻／非連続受信活性化期間ＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソース位置を決定するステップ、又は、
ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定するステップ、又は、
Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定するステップを含む、請求項１１に記載の時間周波数同期方法。
【請求項１３】
前記物理信号の設定情報を決定するステップの前に、
前記端末から報告した非連続受信又はページング受信の処理能力レベルを受信するステップと、
前記処理能力レベルに応じて、前記Ｔ１又は前記Ｔ２を決定するステップとを更に含む、請求項１２に記載の時間周波数同期方法。
【請求項１４】
前記物理信号の設定情報を決定するステップは、
Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定するステップを含む、請求項１１に記載の時間周波数同期方法。
【請求項１５】
前記物理信号の占有するタイムスロット内で占有する時間周波数リソース位置は、離散的に分布している、請求項１１に記載の時間周波数同期方法。
【請求項１６】
端末に応用される時間周波数同期方法において、
ダウンリンク信号を受信するためにアイドル状態又は非連続受信状態からウェイクアップする必要があると判定した後に、ネットワーク機器から送信された時間周波数同期のための物理信号を受信するステップと、
前記物理信号に基づいて時間周波数同期を行うステップとを含む、時間周波数同期方法。
【請求項１７】
前記端末をウェイクアップしてダウンリンク信号の受信を行うためのウェイクアップ信号を前記ネットワーク機器から受信した場合、ダウンリンク信号を受信するためにアイドル状態又は非連続受信状態からウェイクアップする必要があると判定し、又は、
前記端末がスリープし続けることを指示するためのスリープ信号を所定時刻に受信しなかった場合、ダウンリンク信号を受信するためにアイドル状態又は非連続受信状態からウェイクアップする必要があると判定する、請求項１６に記載の時間周波数同期方法。
【請求項１８】
前記物理信号に基づいて時間周波数同期を行うステップの前に、
受信した前記物理信号の系列を決定するステップを更に含む、請求項１６に記載の時間周波数同期方法。
【請求項１９】
前記物理信号の系列は、Ｇｏｌｄ系列、ｍ系列、ＺＣ系列及びコンピュータ生成系列ＣＧＳのうちのいずれかである、請求項１８に記載の時間周波数同期方法。
【請求項２０】
前記物理信号の系列を決定するステップは、
セル識別子Ｃｅｌｌ  ＩＤ、前記端末のＩＤ、前記端末が属する端末グループのＩＤのうちの少なくとも１つに基づいて、前記物理信号の系列を決定するステップ、又は、
前記ネットワーク機器により設定されたＩＤに基づいて、前記物理信号の系列を決定するステップを含む、請求項１８に記載の時間周波数同期方法。
【請求項２１】
前記端末のＩＤは、前記端末の国際移動加入者識別符号ＩＭＳＩ及び国際移動機器識別符号ＩＭＥＩのうちの少なくとも１つによって決定され、及び／又は、
前記端末が属する端末グループのＩＤは、前記端末が属する端末グループにおける端末のＩＭＳＩ及びＩＭＥＩのうちの少なくとも１つによって決定される、請求項２０に記載の時間周波数同期方法。
【請求項２２】
前記ネットワーク機器から送信された物理信号を受信するステップは、
前記物理信号の設定情報を取得するステップと、
前記設定情報に基づいて、前記ネットワーク機器から送信された物理信号を受信するステップとを含む、請求項１７に記載の時間周波数同期方法。
【請求項２３】
前記物理信号の設定情報を取得するステップは、
前記ネットワーク機器から送信された前記物理信号の設定情報を受信するステップ、又は、
予め定義された物理信号の設定情報を取得するステップを含む、請求項２２に記載の時間周波数同期方法。
【請求項２４】
前記ネットワーク機器から送信された前記物理信号の設定情報を受信するステップは、
前記ネットワーク機器からＲＲＣシグナリングにより送信された前記物理信号の設定情報を受信するステップ、又は、
前記ネットワーク機器から前記ウェイクアップ信号により送信された前記物理信号の設定情報を受信するステップを含む、請求項２３に記載の時間周波数同期方法。
【請求項２５】
前記設定情報には、前記物理信号の時間周波数リソース位置が含まれ、前記時間周波数リソース位置は、前記物理信号の占有する無線フレーム内で占有する時間周波数リソース位置及び前記物理信号の占有するタイムスロット内で占有する時間周波数リソース位置のうちの少なくとも一方を含む、請求項２２に記載の時間周波数同期方法。
【請求項２６】
前記物理信号の設定情報を取得するステップは、
前記ウェイクアップ信号の送信時刻及び時間オフセットＴ１（０≦Ｔ１≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソース位置を決定するステップ、又は、
ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定するステップ、又は、
Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定するステップを含む、請求項２５に記載の時間周波数同期方法。
【請求項２７】
前記Ｔ１又はＴ２は、予め定義され、又は、ネットワーク機器により設定される、請求項２６に記載の時間周波数同期方法。
【請求項２８】
前記端末の非連続受信又はページング受信の処理能力レベルを前記ネットワーク機器に報告するステップと、
前記処理能力レベルに応じて前記ネットワーク機器により設定されるＴ１又はＴ２を受信するステップとを更に含む、請求項２７に記載の時間周波数同期方法。
【請求項２９】
前記物理信号の設定情報を取得するステップは、
Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定するステップを含む、請求項２５に記載の時間周波数同期方法。
【請求項３０】
前記ネットワーク機器から送信された物理信号を受信するステップの後に、
前記物理信号に基づいて、無線リソース管理ＲＲＭ測定を実行するステップを更に含む、請求項１６に記載の時間周波数同期方法。
【請求項３１】
前記前記ネットワーク機器から送信された物理信号を受信するステップは、
前記ウェイクアップ信号と前記物理信号を同一の受信機で受信するステップ、又は、
前記ウェイクアップ信号と前記物理信号を異なる受信機で受信するステップを含む、請求項１７に記載の時間周波数同期方法。
【請求項３２】
前記物理信号に基づいて時間周波数同期を行うステップの後に、
前記物理信号に基づいてチャネル推定を行い、チャネル推定に基づいてパワー遅延プロファイルと周波数オフセットの推定を行うステップと、
推定したパワー遅延プロファイルに基づいて、アイドル状態又は非連続受信状態にある前記端末の次回受信の受信開始時刻を調整し、推定した周波数オフセットに基づいて、次回の受信信号に対し周波数オフセット補償を行うステップと、
周波数オフセット補償を行った受信信号に基づいて、ＰＤＣＣＨ及び／又はＰＤＳＣＨの検出を行うステップとを更に含む、請求項１６に記載の時間周波数同期方法。
【請求項３３】
アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するための第１送信モジュールを含む、ネットワーク機器。
【請求項３４】
前記第１送信モジュールは、アイドル状態又は非連続受信状態の端末に、前記端末をウェイクアップしてダウンリンク信号の受信を行うためのウェイクアップ信号を送信する場合、アイドル状態又は非連続受信状態の端末がダウンリンク信号を受信するためにウェイクアップする必要があると判定することに用いられ、又は、
前記第１送信モジュールは、アイドル状態又は非連続受信状態の端末に、前記端末がスリープし続けることを指示するためのスリープ信号を所定時刻に送信しない場合、アイドル状態又は非連続受信状態の端末がダウンリンク信号を受信するためにウェイクアップする必要があると判定することに用いられる、請求項３３に記載のネットワーク機器。
【請求項３５】
前記物理信号の系列を生成するための生成モジュールを更に含む、請求項３４に記載のネットワーク機器。
【請求項３６】
ダウンリンク信号を受信するためにアイドル状態又は非連続受信状態からウェイクアップする必要があると判定した後に、ネットワーク機器から送信された時間周波数同期のための物理信号を受信するための第１受信モジュールと、
前記物理信号に基づいて時間周波数同期を行うための時間周波数同期モジュールとを含む、端末。
【請求項３７】
プロセッサと、メモリと、前記メモリに記憶され、前記プロセッサで動作するプログラムとを含むネットワーク機器であって、
前記プログラムが前記プロセッサによって実行されると、請求項１乃至１５のいずれか１項に記載の時間周波数同期方法のステップが実現される、ネットワーク機器。
【請求項３８】
プロセッサと、メモリと、前記メモリに記憶され、前記プロセッサで動作するプログラムとを含む端末であって、
前記プログラムが前記プロセッサによって実行されると、請求項１６乃至３２のいずれか１項に記載の時間周波数同期方法のステップが実現される、端末。
【請求項３９】
プログラムが記憶されているコンピュータ読み取り可能な記憶媒体であって、
前記プログラムがプロセッサによって実行されると、請求項１乃至３２のいずれか１項に記載の時間周波数同期方法のステップが実現される、コンピュータ読み取り可能な記憶媒体。
【発明の詳細な説明】
【技術分野】
【０００１】
本願は、２０１８年１月５日に中国特許庁に提出された中国特許出願２０１８１００１２５８７．６の優先権を主張し、その全ての内容が援用によりここに取り込まれる。
本開示は、無線通信技術分野に係り、特に時間周波数同期方法、ネットワーク機器及び端末に係る。
【背景技術】
【０００２】
ロングタームエボリューション（Ｌｏｎｇ  Ｔｅｒｍ  Ｅｖｏｌｕｔｉｏｎ、ＬＴＥと略称される）又は第５世代（５ｔｈ  Ｇｅｎｅｒａｔｉｏｎ：５Ｇ）通信システムにおいて、アイドル（ＲＲＣ＿ＩＤＬＥ）状態にある端末は、ネットワーク機器から送信されたページング信号を所定の時間に検出する必要がある。ページング信号の検出プロセスとして、ページング信号の無線ネットワーク仮識別子（Ｐａｇｉｎｇ−Ｒａｄｉｏ  Ｎｅｔｗｏｒｋ  Ｔｅｍｐｏｒａｒｙ  Ｉｄｅｎｔｉｔｙ：Ｐａｇｉｎｇ−ＲＮＴＩ）に対応する物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称される）をブラインド検出し、このＰＤＣＣＨが検出されなければ今回の検出を終了し、ＰＤＣＣＨが存在することが検出されると、更に、このＰＤＣＣＨによって指示される物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称される）を検出し、検出されたＰＤＳＣＨが自端末のページング信号でなければ検出を終了する。すなわち、アイドル状態にある端末は、定期的にページング信号を検出するが、自端末に属するページング信号を受信する確率は、比較的低く、ＰＤＣＣＨを検出する度に消費電力が大きく、端末の省電力化に不利である。
【発明の概要】
【発明が解決しようとする課題】
【０００３】
非連続受信（Ｄｉｓｃｏｎｔｉｎｕｏｕｓ  Ｒｅｃｅｐｔｉｏｎ、ＤＲＸと略称される）の基本的なメカニズムは、接続（ＲＲＣ＿ＣＯＮＮＥＣＴＥＤ）状態にある端末のためのＤＲＸ周期（ｃｙｃｌｅ）を設定することであり、ＤＲＸ  ｃｙｃｌｅは、「活性化期間（Ｏｎ  Ｄｕｒａｔｉｏｎ）」と、「スリープ期間（Ｏｐｐｏｒｔｕｎｉｔｙ  ｆｏｒ  ＤＲＸ）」とから構成される。端末は、「Ｏｎ  Ｄｕｒａｔｉｏｎ」の時間内にＰＤＣＣＨをモニタリングして受信する。「Ｏｐｐｏｒｔｕｎｉｔｙ  ｆｏｒ  ＤＲＸ」の時間内に、端末がダウンリンクチャネルのデータを受信しないようにして、消費電力を節約する。
【０００４】
アイドル状態又は非連続受信状態にある端末のさらなる省電力化を図るために、ウェイクアップ信号（ｗａｋｅ−ｕｐ  ｓｉｇｎａｌ、ＷＵＳと略称される）及びスリープ信号（ｇｏ  ｔｏ  ｓｌｅｅｐ  ｓｉｇｎａｌ、ＧＴＳと略称される）の概念が提案されている。端末がアイドル状態又は非連続受信状態にある場合、ページング信号又はＰＤＣＣＨをブラインド検出する前に、ネットワーク機器は、まず、ウェイクアップ信号又はスリープ信号を端末に送信し、端末は、対応する時刻にウェイクアップしてこのウェイクアップ信号又はスリープ信号を検出する。端末がウェイクアップ信号を検出した場合、ページング信号又はＰＤＣＣＨをブラインド検出するが、そうでない場合、ページング信号又はＰＤＣＣＨのブラインド検出をしない（スリープし続ける）。端末は、スリープ信号を検出した場合、ページング信号又はＰＤＣＣＨのブラインド検出をしない（スリープし続ける）が、そうでない場合、ページング信号又はＰＤＣＣＨのブラインド検出をする（ウェイクアップする）。
【０００５】
端末は、信号を正しく受信できるようにするために、受信信号に基づいて時刻や周波数同期を維持する機能が必要であるが、アイドル状態や非連続受信状態にあると、長時間にわたり信号の受信を行わないため、次回の受信開始時に、端末とネットワーク機器の時間と周波数の同期精度が悪くなり、制御チャネルやデータチャネルの受信性能及び無線リソース管理（Ｒａｄｉｏ  Ｒｅｓｏｕｒｃｅ  Ｍａｎａｇｅｍｅｎｔ、ＲＲＭと略称される）の測定精度などを含め、受信開始時刻の信号受信性能に影響を与える可能性が高い。すなわち、端末がアイドル状態や非連続受信状態からウェイクアップした後に、いかに時間と周波数の同期を確保してダウンリンク信号の受信性能を確保するかが課題となっている。
【課題を解決するための手段】
【０００６】
第１方面において、本開示の実施例は、ネットワーク機器に応用される時間周波数同期方法を提供する。前記方法において、アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するステップを含む。
【０００７】
第２方面において、本開示の実施例は、端末に応用される時間周波数同期方法を提供する。前記方法において、ダウンリンク信号を受信するためにアイドル状態又は非連続受信状態からウェイクアップする必要があると判定した後に、ネットワーク機器から送信された時間周波数同期のための物理信号を受信するステップと、前記物理信号に基づいて時間周波数同期を行うステップとを含む。
【０００８】
第３方面において、本開示の実施例は、アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するための第１送信モジュールを含むネットワーク機器を提供する。
【０００９】
第４方面において、本開示の実施例は、ダウンリンク信号を受信するためにアイドル状態又は非連続受信状態からウェイクアップする必要があると判定した後に、ネットワーク機器から送信された時間周波数同期のための物理信号を受信するための第１受信モジュールと、前記物理信号に基づいて時間周波数同期を行うための時間周波数同期モジュールとを含む端末を提供する。
【００１０】
第５方面において、本開示の実施例は、プロセッサと、メモリと、前記メモリに記憶され、前記プロセッサで動作するプログラムとを含むネットワーク機器を提供し、前記プログラムが前記プロセッサによって実行されると、ネットワーク機器に応用される時間周波数同期方法のステップが実現される。
【００１１】
第６方面において、本開示の実施例は、プロセッサと、メモリと、前記メモリに記憶され、前記プロセッサで動作するプログラムとを含む端末を提供し、前記プログラムが前記プロセッサによって実行されると、上記の端末に応用される時間周波数同期方法のステップが実現される。
【００１２】
第７方面において、本開示の実施例は、プログラムが記憶されているコンピュータ読み取り可能な記憶媒体を提供し、前記プログラムがプロセッサによって実行されると、上記のネットワーク機器に応用される時間周波数同期方法のステップが実現される。
【００１３】
第８方面において、本開示の実施例は、プログラムが記憶されているコンピュータ読み取り可能な記憶媒体を提供し、前記プログラムがプロセッサによって実行されると、上記の端末に応用される時間周波数同期方法のステップが実現される。
【００１４】
本開示の実施例の技術手段をより明確に説明するために、本開示の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【図面の簡単な説明】
【００１５】
【図１】本開示の実施例の応用可能なネットワークシステムの構造図である。
【図２】ＤＲＸ  ｃｙｃｌｅの時系列を示す図面ある。
【図３】ウェイクアップ信号とＤＲＸ  ｃｙｃｌｅの送信の時間的な位置関係を示す図である。
【図４】本開示の実施例のネットワーク機器に応用される時間周波数同期方法を示す図である。
【図５】本開示の実施例の端末に応用される時間周波数同期方法を示す図である。
【図６】本開示の実施例１における、時間周波数同期のための物理信号と、ウェイクアップ信号、ダウンリンク信号の送信の時間的な位置関係を示す図である。
【図７】本開示の実施例３における時間周波数同期のための物理信号の占有するタイムスロット内で占有する時間周波数リソース位置を示す図である。
【図８】本開示の実施例のネットワーク機器の構造を示す図である。
【図９】本開示の実施例の端末の構造を示す図である。
【図１０】本開示の各実施例を実現する移動端末のハードウェア構造を示す図である。
【発明を実施するための形態】
【００１６】
本開示の実施例の目的、技術手段及び利点をより明確にするために、以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をすることなく為しえる全てのほかの実施例は、いずれも本開示の保護範囲に属するものである。明細書及び特許請求の範囲における「及び／又は」は、その前後の対象の少なくとも１つを表す。
【００１７】
端末がアイドル状態又は非連続受信状態からウェイクアップした後に、ダウンリンク信号の受信性能を確保するために、時間と周波数の同期を確保する必要がある。これに鑑みて、本開示の実施例は、時間周波数同期方法、ネットワーク機器及び端末を提供する。
【００１８】
図１を参照する。図１は、本開示の実施例の応用可能なネットワークシステムの構造図である。図１に示すように、このネットワークシステムは、端末１１とネットワーク機器１２を含む。ここで、端末１１は、ユーザ機器（Ｕｓｅｒ  Ｅｑｕｉｐｍｅｎｔ：ＵＥ）であり、たとえば携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例において、端末１１の具体的な種類を限定しない。上記ネットワーク機器１２は、５Ｇ及びその後のバージョンの基地局（例えば、ｇＮＢ、５Ｇ  ＮＲ  ＮＢ）、ほかの通信システムにおける基地局であり、又は、ノードＢや進化型ノードＢと呼ばれてもよく、又は、所属分野のほかの用語であるが、同じ技術効果を奏するのであれば、前記基地局は特定の技術用語に限定されない。なお、本開示の実施例においては５Ｇ基地局を例とするが、ネットワーク機器１２の具体的な種類を限定しない。
【００１９】
なお、本開示の実施例における通信機器は、端末１１又はネットワーク機器１２であり、かつ通信機器の具体的な機能は、以下の複数の実施例を通じて具体的に記載する。
【００２０】
以下、本開示の実施例に係る一部の技術背景を紹介する。
【００２１】
図２を参照する。図２は、非連続受信周期（ＤＲＸ  ｃｙｃｌｅ）の時系列を示す図である。非連続受信の基本的なメカニズムは、接続（ＲＲＣ＿ＣＯＮＮＥＣＴＥＤ）状態にある端末のためのＤＲＸ  ｃｙｃｌｅを設定することであり、ＤＲＸ  ｃｙｃｌｅは、「活性化期間（Ｏｎ  Ｄｕｒａｔｉｏｎ）」と、「スリープ期間（Ｏｐｐｏｒｔｕｎｉｔｙ  ｆｏｒ  ＤＲＸ）」とから構成される。端末は、「Ｏｎ  Ｄｕｒａｔｉｏｎ」の時間内にＰＤＣＣＨをモニタリングして受信する。「Ｏｐｐｏｒｔｕｎｉｔｙ  ｆｏｒ  ＤＲＸ」の時間内に、端末がダウンリンクチャネルのデータを受信しないようにして、消費電力を節約する。ｄｒｘＳｔａｒｔＯｆｆｓｅｔは、ＤＲＸ  ｃｙｃｌｅの開始サブフレームを指定し、ｌｏｎｇＤＲＸ−Ｃｙｃｌｅは、１つのｌｏｎｇ  ＤＲＸ  ｃｙｃｌｅが占有するサブフレームの数を指定するが、この２つのパラメータは、いずれもｌｏｎｇＤＲＸ−ＣｙｃｌｅＳｔａｒｔＯｆｆｓｅｔフィールドによって決定される。ｏｎＤｕｒａｔｉｏｎＴｉｍｅｒは、ＤＲＸ  ｃｙｃｌｅの開始サブフレームから、ＰＤＣＣＨのモニタリングが必要な連続サブフレーム数（すなわち、活性化期間が継続するサブフレーム数）を指定する。
【００２２】
図３を参照する。図３は、ウェイクアップ信号（ＷＵＳ）とＤＲＸ  ｃｙｃｌｅの送信の時間的な位置関係を示す図である。図３から分かるように、ネットワーク機器は、非連続受信（ＤＴＸ）状態にある端末に対し、ＰＤＣＣＨに対するモニタリング（Ｍｏｎｉｔｏｒ  ｇｒａｎｔ）をして次の受信時刻でＰＤＣＣＨの受信が必要であることを、ウェイクアップ信号を送信して通知しておく。端末は、ウェイクアップ信号を受信した後（すなわち、図中のＷＵＳ  Ｒｅｃｅｉｖｅｄ）、スリープ状態（ｓｌｅｅｐ）から、受信機の起動時に動作電力まで電力が上昇する過程（Ｒａｍｐ−ｕｐ）に入り、それから受信機が起動し、次の受信時刻でデータ及び制御情報の受信（Ｄａｔａ＆ｃｏｎｔｒｏｌ  ｃｈａｎｎｅｌ  ｐｒｏｃｅｓｓｉｎｇ）及びＰＤＣＣＨ（ＰＤＣＣＨ−ｏｎｌｙ  Ｒｘ）の受信が行われる。端末がＰＤＣＣＨの受信を完了すると、受信機が切断し電力が動作電力から降下する過程に入り、それからスリープ状態に入る。非連続受信期間内に、端末は、ウェイクアップ信号を受信しない場合（ＷＵＳ  Ｓｋｉｐｐｅｄ）、スリープ状態を継続する。
【００２３】
また、ネットワーク機器が端末にスリープ信号を送信する場合、非連続受信状態にある端末に対し、次の受信時刻にＰＤＣＣＨの受信が必要でないことを通知しておく。端末がスリープ信号を受信した場合、次の受信時刻にＰＤＣＣＨの受信を行わない。ウェイクアップ信号又はスリープ信号を送信することで、データ送信が可能な時刻毎に端末が信号を受信することを回避し、端末の消費電力を低減することができる。本開示の以下の実施例において言及されるＤＲＸは、接続状態におけるＤＲＸメカニズムを指す（Ｃｏｎｎｅｃｔｅｄ  ＤＲＸ、ＣＤＲＸと略称される）。
【００２４】
図４を参照する。図４は、本開示の実施例のネットワーク機器に応用される時間周波数同期方法を示す図である。この時間周波数同期方法は、ネットワーク機器に応用され、ステップ４１を含む。
【００２５】
ステップ４１において、アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信する。
【００２６】
前記物理信号は、物理層の信号を指す。
【００２７】
前記ダウンリンク信号は、ＰＵＣＣＨ及び／又はＰＤＳＣＨ信号である。
【００２８】
本開示の実施例において、アイドル状態又は非連続受信状態の端末がダウンリンク信号を受信するためにウェイクアップする必要があると判定してから、ダウンリンク信号を端末に送信する前に、時間周波数同期のための物理信号を端末に送信することによって、端末は、ダウンリンク信号の受信前に、この物理信号に基づく時間周波数同期を完了することができ、アイドル状態又は非連続受信状態における信号処理の消費電力を低減しつつ、受信性能を向上させることができる。
【００２９】
本開示の実施例において、この時間周波数同期のための物理信号は、端末が実際にダウンリンク信号を受信するためにウェイクアップ必要がある場合にのみ送信されるので、非周期的である。
【００３０】
本開示の実施例において、前記時間周波数同期のための物理信号は、同期信号（Ｓｙｎｃｈｒｏｎｉｚａｔｉｏｎ  Ｓｉｇｎａｌ）であってもよく、参照信号（Ｒｅｆｅｒｅｎｃｅ  Ｓｉｇｎａｌ）であってもよい。
【００３１】
この物理信号は、新規無線（Ｎｅｗ  Ｒａｄｉｏ、ＮＲと略称される）又は他の無線通信システムにおいて、非周期的なトラッキング参照信号（Ｔｒａｃｋｉｎｇ  Ｒｅｆｅｒｅｎｃｅ  Ｓｉｇｎａｌ、ＴＲＳと略称される）、非周期的な同期信号、又は、非周期的なチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳと略称される）等として具現化される。
【００３２】
本開示の実施例において、以下の方式により、アイドル状態又は非連続受信状態の端末がダウンリンク信号を受信するためにウェイクアップする必要があると判定する。アイドル状態又は非連続受信状態の端末に、前記端末をウェイクアップしてダウンリンク信号の受信を行うためのウェイクアップ信号（ＷＵＳ）を送信する場合、アイドル状態又は非連続受信状態の端末がダウンリンク信号を受信するためにウェイクアップする必要があると判定する。又は、アイドル状態又は非連続受信状態の端末に、前記端末がスリープし続けることを指示するためのスリープ信号（ＧＴＳ）を所定時刻に送信しない場合、アイドル状態又は非連続受信状態の端末がダウンリンク信号を受信するためにウェイクアップする必要があると判定する。
【００３３】
本開示の実施例において、ネットワーク機器は、端末がダウンリンク信号を受信するためにウェイクアップする必要があることを、ウェイクアップ信号を送信することによって指示し、又は、端末がダウンリンク信号を受信するためにウェイクアップする必要があることを、所定時刻にスリープ信号を端末に送信しない方式で指示する。ウェイクアップ信号又はスリープ信号を送信することによって、データ送信が可能な時刻毎に端末が信号を受信することを回避し、端末の消費電力を低減することができる。
【００３４】
本開示の実施例において、ネットワーク機器は、ウェイクアップ信号又はスリープ信号を端末に送信する際に、ウェイクアップ信号又はスリープ信号をそれぞれ端末に送信してもよく、同一の端末グループ（ＵＥ  Ｇｒｏｕｐ）に属するすべての端末にウェイクアップ信号又はスリープ信号を同時に送信してもよい。端末グループのグループ分け方法は、必要に応じて設定され、例えば国際移動機器識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩと略称される）の最下位ビットが同一である端末を同一グループとする。
【００３５】
本開示の実施例において、ネットワーク機器は、時間周波数同期のための物理信号を端末に送信する場合、時間周波数同期のための物理信号を端末にそれぞれ送信してもよいし、同一の端末グループ（ＵＥ  Ｇｒｏｕｐ）に属する全ての端末に時間周波数同期のための物理信号を同時に送信してもよい。同様に、前記端末グループのグループ分け方式は、必要に応じて設定され、例えばＩＭＥＩの最下位ビットが同一である端末を同一グループとする。
【００３６】
本開示の実施例において、選択可能に、ネットワーク機器によるウェイクアップ信号／スリープ信号の送信、及び、時間周波数同期のための物理信号に用いられる端末グループのグループ分け方式は、同一である。
【００３７】
本開示の実施例において、前記ネットワーク機器は、ダウンリンク制御情報（Ｄｏｗｎｌｉｎｋ  Ｃｏｎｔｒｏｌ  Ｉｎｆｏｒｍａｔｉｏｎ、ＤＣＩと略称される）を介して前記ウェイクアップ信号又はスリープ信号を付帯する。
【００３８】
本開示の実施例において、ネットワーク機器から端末にダウンリンク信号を送信する前に、時間周波数同期のための物理信号を複数回繰り返し送信（複数のリソースを使用して送信）することができ、それにより端末が前記物理信号を受信できることを確保する。繰り返し送信の回数は、プロトコルによって予め定義されていてもよいし、ネットワーク機器によって設定されてもよい。
【００３９】
本開示の実施例において、前記時間周波数同期のための物理信号は、系列から構成される。前記ネットワーク機器から時間周波数同期のための物理信号を端末に送信するステップの前に、前記物理信号の系列を生成するステップを更に含む。
【００４０】
本開示の実施例において、前記物理信号の系列は、Ｇｏｌｄ系列、ｍ系列、ＺＣ系列及びコンピュータ生成系列（Ｃｏｍｐｕｔｅｒ  Ｇｅｎｅｒａｔｅｄ  Ｓｅｑｕｅｎｃｅ、ＣＧＳと略称される）のうちのいずれかである。
【００４１】
本開示の実施例において、前記物理信号の系列を生成するステップは、セル識別子（Ｃｅｌｌ  ＩＤ）、前記端末のＩＤ、前記端末が属する端末グループのＩＤのうちの少なくとも１つに基づいて、前記物理信号の系列を生成するステップを含む。ここで、前記ネットワーク機器から前記物理信号を端末に送信する際に、同一の端末グループに属するすべての端末に同時に前記物理信号を送信する。すなわち、前記物理信号の系列生成パラメータは、セル識別子、前記端末のＩＤ及び前記端末が属する端末グループのＩＤのうちの少なくとも１つに基づいて算出される。
【００４２】
本開示の実施例において、前記端末のＩＤは、前記端末の国際移動加入者識別符号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩと略称される）及び国際移動機器識別符号ＩＭＥＩのうちの少なくとも１つによって決定され、及び／又は、前記端末が属する端末グループのＩＤは、前記端末が属する端末グループにおける端末のＩＭＳＩ及びＩＭＥＩのうちの少なくとも１つによって決定される。
【００４３】
本開示の実施例において、前記時間周波数同期方法において、前記物理信号の系列を特定するためのＩＤを前記端末に送信するステップを更に含む。これによって、端末は、ネットワーク機器によって設定されるＩＤに基づいて、前記物理信号の系列を決定することができる。前記物理信号の系列を決定するためのＩＤは、セル識別子Ｃｅｌｌ  ＩＤ、前記端末のＩＤ、前記端末が属する端末グループのＩＤのうちの少なくとも１つであり、又はほかのＩＤである。
【００４４】
本開示の実施例において、前記ネットワーク機器から時間周波数同期のための物理信号を前記端末に送信するステップは、前記物理信号の設定情報を決定するステップと、前記設定情報に基づいて、物理信号を前記端末に送信するステップとを含む。前記物理信号の設定情報は、前記物理信号の送信に占有される時間周波数リソース位置、前記物理信号の送信に占有される帯域幅、前記物理信号の送信に占有される密度、前記物理信号のマッピングパターン及び物理信号の繰り返し送信回数の少なくとも１つを含む。
【００４５】
前記設定情報は、プロトコルによって予め定義され、又は、前記ネットワーク機器によって設定され、又は、一部がプロトコルによって予め定義され、一部が前記ネットワーク機器によって設定される。
【００４６】
本開示の実施例において、前記設定情報がネットワーク機器によって設定され、又は一部がネットワーク機器によって設定される場合、前記時間周波数同期方法は、前記物理信号の設定情報を前記端末に送信するステップを更に含む。それによって、端末は、前記設定情報に基づいて前記物理信号を正しく受信することができる。
【００４７】
本開示の実施例において、前記設定情報がネットワーク機器によって設定され、又は、一部がネットワーク機器によって設定される場合、前記物理信号の設定情報を前記端末に送信するステップは、前記物理信号の設定情報を無線リソース制御（Ｒａｄｉｏ  Ｒｅｓｏｕｒｃｅ  Ｃｏｎｔｒｏｌ：ＲＲＣと略称される）メッセージにより前記端末に送信するステップ、又は、前記ウェイクアップ信号により前記物理信号の設定情報を前記端末に送信するステップを含む。
【００４８】
本開示の実施例において、前記設定情報がプロトコルによって予め定義され、又は一部がプロトコルによって予め定義される場合、前記物理信号の設定情報を決定するステップは、予め定義された物理信号の設定情報を取得するステップを含む。
【００４９】
本開示の実施例において、前記物理信号の設定情報には、前記物理信号の送信に占有される時間周波数リソース位置が含まれ、前記時間周波数リソース位置は、前記物理信号の占有する無線フレーム内で占有する時間周波数リソース位置及び前記物理信号の占有するタイムスロット（ｓｌｏｔ（ｓ））内で占有する時間周波数リソース位置のうちの少なくとも一方を含む。
【００５０】
占有する無線フレーム内で占有する時間周波数リソース位置とは、無線フレーム（ｆｒａｍｅ）番号、サブフレーム（ｓｕｂｆｒａｍｅ）番号、スロット（ｓｌｏｔ）、又はシンボル（ｓｙｍｂｏｌ（ｓ））の少なくとも１つを含む。
【００５１】
前記時間周波数リソース位置が前記物理信号の占有する無線フレーム内で占有する時間周波数リソース位置を含む場合、前記物理信号の占有する無線フレーム内で占有する時間周波数リソース位置は、以下の方式で決定される。
（１）前記ウェイクアップ信号の送信時刻及び時間オフセットＴ１（０≦Ｔ１≦Ｔ０（Ｔ０：前記ウェイクアップ信号とＰＯ／ＤＲＸ  Ｏｎ  Ｄｕｒａｔｉｏｎ（ページング時刻／非連続受信活性化期間）の開始時間位置との間の時間間隔））に基づいて、前記物理信号の占有する無線フレーム内で占有する時間周波数リソース位置を決定する；又は、
（２）ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定する；又は、
（３）Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定する。例えば、時間周波数同期のための物理信号の送信サブフレーム番号は、ｍｏｄ（ＵＥ  ｇｒｏｕｐ  ＩＤ，Ｘ）番目のサブフレームであり、Ｘは、１つの正の整数である。ｍｏｄは、剰余関数である。
【００５２】
ここで、（１）の態様では、選択可能に、前記物理信号の前記占有する無線フレーム内で占有する時間周波数リソース位置は、前記ウェイクアップ信号の送信時刻とＴ１との和である。
【００５３】
前記Ｔ１は、ミリ秒（ｍｓ）又はｓｌｏｔを単位とする数値である。前記Ｔ１の値は、プロトコルによって予め定義されてもよく、ネットワーク機器によって設定されてもよい。Ｔ１の数値は、異なる端末又は端末グループについて同じであってもよいし、異なっていてもよい。選択可能に、Ｔ１は、端末の能力に関連し、選択可能に、異なる処理能力レベルは、異なるＴ１値又はＴ１値のセットに対応する。例えば、異なるタイプの端末は、異なるＴ１の最小値（ｍｉｎｉｍｕｍ  ｖａｌｕｅ）をサポートする。Ｔ１がネットワーク機器によって設定される場合、前記物理信号の設定情報を決定するステップの前に、前記端末から報告された非連続受信又はページング受信の処理能力レベルを受信するステップと、前記処理能力レベルに応じて前記Ｔ１を決定するステップとを更に含む。
【００５４】
（２）の態様では、ＰＯは、ページング時刻である。選択可能に、前記物理信号の前記占有する無線フレーム内で占有する時間周波数リソース位置は、ＰＯ／ＤＲＸ  Ｏｎ  Ｄｕｒａｔｉｏｎの開始時間位置とＴ１との和である。
【００５５】
前記Ｔ２は、ミリ秒（ｍｓ）又はｓｌｏｔを単位とする数値である。前記Ｔ２の値は、プロトコルによって予め定義されていてもよいし、ネットワーク機器によって設定されてもよい。Ｔ１の数値は、異なる端末又は端末グループについて同じであってもよいし、異なっていてもよい。選択可能に、Ｔ２は端末の能力に関連し、選択可能に、異なる処理能力レベルは、異なるＴ２値又はＴ１値のセットに対応する。例えば、異なるタイプの端末は、異なるＴ２の最小値（ｍｉｎｉｍｕｍ  ｖａｌｕｅ）をサポートする。Ｔ２がネットワーク機器によって設定される場合、前記物理信号の設定情報を決定するステップの前に、前記端末から報告された非連続受信又はページング受信の処理能力レベルを受信するステップと、前記処理能力レベルに応じて前記Ｔ２を決定するステップとを更に含む。
【００５６】
本開示の実施例において、前記物理信号の設定情報が前記物理信号の占有するタイムスロット（ｓｌｏｔ（ｓ））内で占有する時間周波数リソース位置を含む場合、前記物理信号の設定情報を決定するステップは、Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定するステップを含む。
【００５７】
本開示の実施例において、選択可能に、前記物理信号の占有するタイムスロット内で占有する時間周波数リソース位置は、離散的に分布している。利点として、時間周波数の同期及びＲＲＭ測定に有利である。
【００５８】
本開示の実施例において、選択可能に、ウェイクアップ信号の占有するタイムスロット内で占有する時間周波数リソース位置は、連続して分布する。利点として、オーバーヘッドが小さく、低い複雑度によるウェイクアップ信号の検出に有利である。
【００５９】
図５を参照する。図５は、本開示の実施例の端末に応用される時間周波数同期方法を示す図である。当該時間周波数同期方法は、端末に応用され、ステップ５１〜５２を含む。
【００６０】
ステップ５１において、ダウンリンク信号を受信するためにアイドル状態又は非連続受信状態からウェイクアップする必要があると判定した後に、ネットワーク機器から送信された時間周波数同期のための物理信号を受信する。
【００６１】
ステップ５２において、前記物理信号に基づいて時間周波数同期を行う。
【００６２】
前記ダウンリンク信号は、ＰＵＣＣＨ及び／又はＰＤＳＣＨ信号である。
【００６３】
本開示の実施例において、端末は、ダウンリンク信号を受信するためにアイドル状態又は非連続受信状態からウェイクアップする必要があると判定した後、時間周波数同期のための物理信号をネットワーク機器から受信する。それによって、端末は、ダウンリンク信号の受信前に、この物理信号に基づく時間周波数同期を完了することができ、アイドル状態又は非連続受信状態における信号処理の消費電力を低減しつつ、受信性能を向上させることができる。
【００６４】
本開示の実施例において、この時間周波数同期のための物理信号は、端末が実際にダウンリンク信号を受信するためにウェイクアップ必要がある場合にのみ送信されるので、非周期的である。
【００６５】
本開示の実施例において、前記時間周波数同期のための物理信号は、同期信号（Ｓｙｎｃｈｒｏｎｉｚａｔｉｏｎ  Ｓｉｇｎａｌ）であってもよく、参照信号（Ｒｅｆｅｒｅｎｃｅ  Ｓｉｇｎａｌ）であってもよい。
【００６６】
この物理信号は、新規無線（Ｎｅｗ  Ｒａｄｉｏ、ＮＲと略称される）又は他の無線通信システムにおいて、非周期的なトラッキング参照信号（Ｔｒａｃｋｉｎｇ  Ｒｅｆｅｒｅｎｃｅ  Ｓｉｇｎａｌ、ＴＲＳと略称される）、非周期的な同期信号、又は、非周期的なチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳと略称される）等として具現化される。
【００６７】
本開示の実施例において、前記端末が前記物理信号に基づいて時間周波数同期を行うステップの後に、ダウンリンク信号の送信を行うステップを更に含む。前記ダウンリンク信号は、ＰＵＣＣＨ及び／又はＰＤＳＣＨ信号である。
【００６８】
更に、前記端末がダウンリンク信号の受信を行うステップは、前記物理信号に基づいてチャネル推定を行い、チャネル推定に基づいてパワー遅延プロファイルと周波数オフセットの推定を行うステップと、推定したパワー遅延プロファイル（ＰＤＰ,Ｐｏｗｅｒ Ｄｅｌａｙ Ｐｒｏｆｉｌｅ）に基づいて、アイドル状態又は非連続受信状態にある前記端末の次回受信の受信開始時刻を調整し、推定した周波数オフセットに基づいて、次回の受信信号に対し周波数オフセット補償を行うステップと、周波数オフセット補償を行った受信信号に基づいて、ＰＤＣＣＨ及び／又はＰＤＳＣＨの検出を行うステップとを含む。
【００６９】
本開示の実施例において、前記端末は、以下の方式により、ダウンリンク信号を受信するためにアイドル状態又は非連続受信状態からウェイクアップする必要があるかを判定する。前記端末をウェイクアップしてダウンリンク信号の受信を行うためのウェイクアップ信号を前記ネットワーク機器から受信した場合、ダウンリンク信号を受信するためにアイドル状態又は非連続受信状態からウェイクアップする必要があると判定する。又は、前記端末がスリープし続けることを指示するためのスリープ信号を所定時刻に受信しなかった場合、ダウンリンク信号を受信するためにアイドル状態又は非連続受信状態からウェイクアップする必要があると判定する。
【００７０】
本開示の実施例において、ネットワーク機器は、端末がダウンリンク信号を受信するためにウェイクアップする必要があることを、ウェイクアップ信号を送信することによって指示し、又は、端末がダウンリンク信号を受信するためにウェイクアップする必要があることを、所定時刻にスリープ信号を端末に送信しない方式で指示する。ウェイクアップ信号又はスリープ信号を送信することによって、データ送信が可能な時刻毎に端末が信号を受信することを回避し、端末の消費電力を低減することができる。
【００７１】
本開示の実施例において、ネットワーク機器は、ウェイクアップ信号又はスリープ信号を端末に送信する際に、ウェイクアップ信号又はスリープ信号をそれぞれ端末に送信してもよく、同一の端末グループ（ＵＥ  Ｇｒｏｕｐ）に属するすべての端末にウェイクアップ信号又はスリープ信号を同時に送信してもよい。端末グループのグループ分け方法は、必要に応じて設定され、例えば国際移動機器識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩと略称される）の最下位ビットが同一である端末を同一グループとする。
【００７２】
本開示の実施例において、ネットワーク機器は、時間周波数同期のための物理信号を端末に送信する場合、時間周波数同期のための物理信号を端末にそれぞれ送信してもよいし、同一の端末グループ（ＵＥ  Ｇｒｏｕｐ）に属する全ての端末に時間周波数同期のための物理信号を同時に送信してもよい。同様に、前記端末グループのグループ分け方式は、必要に応じて設定され、例えばＩＭＥＩの最下位ビットが同一である端末を同一グループとする。
【００７３】
本開示の実施例において、選択可能に、ネットワーク機器によるウェイクアップ信号／スリープ信号の送信、及び、時間周波数同期のための物理信号に用いられる端末グループのグループ分け方式は、同一である。
【００７４】
本開示の実施例において、前記ネットワーク機器は、ダウンリンク制御情報（Ｄｏｗｎｌｉｎｋ  Ｃｏｎｔｒｏｌ  Ｉｎｆｏｒｍａｔｉｏｎ、ＤＣＩと略称される）を介して前記ウェイクアップ信号又はスリープ信号を付帯する。
【００７５】
本開示の実施例において、前記時間周波数同期のための物理信号は、系列から構成される。前記物理信号に基づいて時間周波数同期を行うステップの前に、受信した前記物理信号の系列を決定するステップを更に含む。
【００７６】
本開示の実施例において、前記物理信号の系列は、Ｇｏｌｄ系列、ｍ系列、ＺＣ系列及びコンピュータ生成系列（Ｃｏｍｐｕｔｅｒ  Ｇｅｎｅｒａｔｅｄ  Ｓｅｑｕｅｎｃｅ、ＣＧＳと略称される）のうちのいずれかである。
【００７７】
本開示の実施例において、前記物理信号の系列を決定するステップは、セル識別子（Ｃｅｌｌ  ＩＤ）、前記端末のＩＤ、前記端末が属する端末グループのＩＤのうちの少なくとも１つに基づいて、前記物理信号の系列を決定するステップを含む。ここで、前記ネットワーク機器から前記物理信号を端末に送信する際に、同一の端末グループに属するすべての端末に同時に前記物理信号を送信する。又は、前記ネットワーク機器から設定されたＩＤに基づいて、前記物理信号の系列を決定するステップを含む。
【００７８】
すなわち、前記物理信号の系列生成パラメータは、端末がセル識別子、前記端末のＩＤ及び端末が属する端末グループのＩＤのうちの少なくとも１つに基づいて算出し、又は、ネットワーク機器から設定されたＩＤに基づいて算出する。
【００７９】
本開示の実施例において、前記端末のＩＤは、前記端末の国際移動加入者識別符号ＩＭＳＩ及び国際移動機器識別符号ＩＭＥＩのうちの少なくとも１つによって決定され、及び／又は、前記端末が属する端末グループのＩＤは、前記端末が属する端末グループにおける端末のＩＭＳＩ及びＩＭＥＩのうちの少なくとも１つによって決定される。
【００８０】
本開示の実施例において、前記端末がネットワーク機器から送信された物理信号を受信するステップは、前記物理信号の設定情報を取得するステップと、前記設定情報に基づいて、前記ネットワーク機器から送信された物理信号を受信するステップとを含む。
【００８１】
前記設定情報は、プロトコルによって予め定義され、又は、前記ネットワーク機器によって設定され、又は、一部がプロトコルによって予め定義され、一部が前記ネットワーク機器によって設定される。
【００８２】
本開示の実施例において、前記設定情報がプロトコルによって予め定義され、又は一部がプロトコルによって予め定義される場合、前記物理信号の設定情報を取得するステップは、予め定義された物理信号の設定情報を取得するステップを含む。
【００８３】
本開示の実施例において、前記設定情報がネットワーク機器によって設定され、又は一部がネットワーク機器によって設定される場合、前記物理信号の設定情報を取得するステップは、前記ネットワーク機器から送信された前記物理信号の設定情報を受信するステップを含む。それによって、端末は、前記設定情報に基づいて前記物理信号を正しく受信することができる。
【００８４】
更に、前記設定情報がネットワーク機器によって設定され、又は一部がネットワーク機器によって設定される場合、前記ネットワーク機器から送信された前記物理信号の設定情報を受信するステップは、前記ネットワーク機器からＲＲＣシグナリングにより送信された前記物理信号の設定情報を受信するステップ、又は、前記ネットワーク機器から前記ウェイクアップ信号により送信された前記物理信号の設定情報を受信するステップを含む。
【００８５】
前記物理信号の設定情報は、前記物理信号の送信に占有される時間周波数リソース位置、前記物理信号の送信に占有される帯域幅、前記物理信号の送信に占有される密度、前記物理信号のマッピングパターン、物理信号の繰り返し送信回数及び信号系列設定情報などの少なくとも１つを含む。
【００８６】
本開示の実施例において、前記設定情報には、前記物理信号の送信に占有される時間周波数リソース位置が含まれ、前記時間周波数リソース位置は、前記物理信号の占有する無線フレーム内で占有する時間周波数リソース位置及び前記物理信号の占有するタイムスロット内で占有する時間周波数リソース位置のうちの少なくとも一方を含む。
【００８７】
占有する無線フレーム内で占有する時間周波数リソース位置とは、無線フレーム（ｆｒａｍｅ）番号、サブフレーム（ｓｕｂｆｒａｍｅ）番号、スロット（ｓｌｏｔ）、又はシンボル（ｓｙｍｂｏｌ（ｓ））の少なくとも１つを含む。
【００８８】
前記時間周波数リソース位置が前記物理信号の占有する無線フレーム内で占有する時間周波数リソース位置を含む場合、前記物理信号の占有する無線フレーム内で占有する時間周波数リソース位置は、以下の方式で決定される。
（１）前記ウェイクアップ信号の送信時刻及び時間オフセットＴ１（０≦Ｔ１≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソース位置を決定する；又は、
（２）ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定する；又は、
（３）Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定する。例えば、時間周波数同期のための物理信号の送信サブフレーム番号は、ｍｏｄ（ＵＥ  ｇｒｏｕｐ  ＩＤ，Ｘ）番目のサブフレームであり、Ｘは、１つの正の整数である。ｍｏｄは、剰余関数である。
【００８９】
ここで、（１）の態様では、選択可能に、前記物理信号の前記占有する無線フレーム内で占有する時間周波数リソース位置は、前記ウェイクアップ信号の送信時刻とＴ１との和である。
【００９０】
前記Ｔ１は、ミリ秒（ｍｓ）又はｓｌｏｔを単位とする数値である。前記Ｔ１の値は、プロトコルによって予め定義されてもよく、ネットワーク機器によって設定されてもよい。Ｔ１の数値は、異なる端末又は端末グループについて同じであってもよいし、異なっていてもよい。選択可能に、Ｔ１は、端末の能力に関連し、選択可能に、異なる処理能力レベルは、異なるＴ１値又はＴ１値のセットに対応する。例えば、異なるタイプの端末は、異なるＴ１の最小値（ｍｉｎｉｍｕｍ  ｖａｌｕｅ）をサポートする。Ｔ１がネットワーク機器によって設定される場合、選択可能に、前記物理信号の設定情報を取得するステップの前に、前記端末の非連続受信又はページング受信の処理能力レベルを前記ネットワーク機器に報告するステップと、前記処理能力レベルに応じて前記ネットワーク機器により設定されるＴ１を受信するステップとを更に含む。前記ネットワーク機器は、ＲＲＣシグナリング又はＤＣＩメッセージによってＴ１を端末に送信する。
【００９１】
（２）の態様では、ＰＯは、ページング時刻である。選択可能に、前記物理信号の前記占有する無線フレーム内で占有する時間周波数リソース位置は、ＰＯ／ＤＲＸ  Ｏｎ  Ｄｕｒａｔｉｏｎの開始時間位置とＴ１との和である。
【００９２】
前記Ｔ２は、ミリ秒（ｍｓ）又はｓｌｏｔを単位とする数値である。前記Ｔ２の値は、プロトコルによって予め定義されていてもよいし、ネットワーク機器によって設定されてもよい。Ｔ２の数値は、異なる端末又は端末グループについて同じであってもよいし、異なっていてもよい。選択可能に、Ｔ２は端末の能力に関連し、選択可能に、異なる処理能力レベルは、異なるＴ２値又はＴ２値のセットに対応する。例えば、異なるタイプの端末は、異なるＴ２の最小値（ｍｉｎｉｍｕｍ  ｖａｌｕｅ）をサポートする。Ｔ２がネットワーク機器によって設定される場合、選択可能に、前記物理信号の設定情報を取得するステップの前に、前記端末の非連続受信又はページング受信の処理能力レベルを前記ネットワーク機器に報告するステップと、前記処理能力レベルに応じて前記ネットワーク機器により設定されるＴ２を受信するステップとを更に含む。前記ネットワーク機器は、ＲＲＣシグナリング又はＤＣＩメッセージによってＴ２を端末に送信する。
【００９３】
本開示の実施例において、前記物理信号の設定情報が前記物理信号の占有するタイムスロット（ｓｌｏｔ（ｓ））内で占有する時間周波数リソース位置を含む場合、前記物理信号の設定情報を取得するステップは、Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定するステップを含む。
【００９４】
本開示の実施例において、前記物理信号の占有するタイムスロット内で占有する時間周波数リソース位置は、離散的に分布している。
【００９５】
本開示の実施例において、前記端末は、更に、受信した時間周波数同期のための物理信号に基づいてＲＲＭ測定を行う。すなわち、前記ネットワーク機器から送信された物理信号を受信したステップの後に、前記物理信号に基づいて、ＲＲＭ測定を実行するステップを更に含む。選択可能に、前記端末は、受信した時間周波数同期のための物理信号に加え、既存のＲＲＭ参照信号（たとえばＳＳ  Ｂｌｏｃｋ、ＣＳＩ−ＲＳ）とともに、ＲＲＭの性能を向上させる。
【００９６】
本開示の実施例において、前記端末が前記ネットワーク機器から送信された物理信号を受信するステップは、前記ウェイクアップ信号と前記物理信号を同一の受信機（ｓｉｎｇｌｅ  ｒｅｃｅｉｖｅｒ）で受信するステップ、又は、前記ウェイクアップ信号と前記物理信号を異なる受信機（ｄｉｆｆｅｒｅｎｔ  ｒｅｃｅｉｖｅｒ）で受信するステップを含む。
【００９７】
前記端末が異なる受信機で前記ウェイクアップ信号と前記物理信号とを受信する場合、狭帯域受信機で前記ウェイクアップ信号を受信し、広帯域受信機で前記物理信号を受信する。
【００９８】
端末は、前記ウェイクアップ信号の送信時刻と時間オフセット量Ｔ１とに基づいて、前記物理信号の占有する無線フレーム内で占有する時間周波数リソース位置を決定する場合、異なる受信機を用いると、他の受信機に切り替えるまでにある程度の処理時間を要する。その場合、その端末に対しＴ１値を長く設定する必要がある。選択可能に、前記Ｔ１は、０よりも大きい値を取る。すなわち、ウェイクアップ信号と物理信号とは異なる時刻で送信される。同一の受信機を用いる場合、受信機間の時間的な切り替えがない。この場合、この端末に対しＴ１の値を短く設定する。
【００９９】
以下、具体的な応用シーンを通じて、本開示の実施例の時間周波数同期方法を詳細に説明する。
【０１００】
実施例１
図６を参照する。図６は、本開示の実施例１の時間周波数同期のための物理信号とウェイクアップ信号（ＷＵＳ）、ダウンリンク信号の送信の時間的な位置関係を示す図である。
【０１０１】
図６から分かるように、時間周波数同期のための物理信号（本開示の実施例ではＴＲＳ）の送信の時間的な位置は、ウェイクアップ信号（ＷＵＳ）の送信時間よりも早くなく、ダウンリンク信号の初回の送信時間よりも遅くない。
【０１０２】
本開示の実施例において、時間周波数同期のための物理信号の送信の時間的な位置は、ウェイクアップ信号の送信時刻から一定のＴ１ｍｓ（又はｓｌｏｔ）オフセットを有する。
【０１０３】
本開示の実施例において、時間周波数同期のための物理信号の送信の時間的な位置は、ＰＯ又はＯｎ  ｄｕｒａｔｉｏｎ開始時間位置から一定のＴ２ｍｓ（又はｓｌｏｔｓ）オフセットを有する。
【０１０４】
本開示の実施例において、時間周波数同期のための物理信号の送信の時間的な位置は、Ｃｅｌｌ  ＩＤ、前記端末のＩＤ、及び前記端末が属する端末グループのＩＤのうちの少なくとも１つに基づいて決定される。例えば、時間周波数同期のための物理信号の送信サブフレーム番号は、ｍｏｄ（ＵＥ  ｇｒｏｕｐ  ＩＤ，Ｘ）番目のサブフレームであり、Ｘは、１つの正の整数である。ｍｏｄは、剰余関数である。
【０１０５】
本開示の実施例において、時間周波数同期のための物理信号の設定情報は、ネットワーク機器によりＲＲＣシグナリングを介して設定される。設定情報は、例えば、前記物理信号が送信される無線フレーム番号、サブフレーム番号、具体的な時間周波数位置、占有される帯域幅などのうち少なくとも１つを含む。
【０１０６】
本開示の実施例において、ウェイクアップ信号が物理チャネルの形態、例えばＰＤＣＣＨの形態で送信される場合、時間周波数同期のための物理信号の設定情報（前記物理信号が送信される無線フレーム番号、サブフレーム番号、具体的な時間周波数位置、占有される帯域幅、系列の設定情報など）は、ＤＣＩ情報によって設定される。この情報によって使用されるフィールドは、定義されたＰＤＣＣＨフォーマットにおける既存のフィールドを再利用してもよい。
【０１０７】
本開示の実施例において、ネットワーク機器がダウンリンク信号を端末に送信する前に、時間周波数同期のための物理信号を複数回繰り返し送信（複数のリソースを使用して送信）して、端末が前記物理信号を受信できることを保証する。繰り返し送信の回数は、プロトコルによって予め定義されていてもよいし、ネットワーク機器によって設定されてもよい。
【０１０８】
実施例２
端末は、同じ又は異なる受信機を使用してウェイクアップ信号及び同期信号／ＰＤＣＣＨ／ＰＤＳＣＨを受信する。
【０１０９】
異なる受信機を使用する場合、他の受信機への切り替えにある程度の時間を要し、その場合、この端末に対しＴ１の値を長く設定する必要がある。
【０１１０】
同一の受信機を用いる場合、受信機間の時間的な切り替えがなく、この場合、この端末に対しＴ１の値を短く設定する。
【０１１１】
Ｔ１の値は、異なる端末又は端末グループに対してネットワーク機器により設定される。
【０１１２】
選択可能に、端末は、前記端末の非連続受信又はページング受信の処理能力レベルをネットワーク機器に報告し、ネットワーク機器は、前記処理能力レベルに応じてＴ１の値を決定し、Ｔ１の値をＲＲＣシグナリング又はＤＣＩメッセージによって端末に対し設定する。選択可能に、異なる処理能力レベルは、異なるＴ１値又はＴ１値のセットに対応する。
【０１１３】
実施例３
本開示の実施例において、時間周波数同期のための物理信号は、Ｂ個の物理リソースブロック（Ｐｈｙｓｉｃａｌ  Ｒｅｓｏｕｒｃｅ  Ｂｌｏｃｋ、ＰＲＢと略称される）に分布し、Ｘ個のＳｌｏｔ（各ｓｌｏｔは１４個のＯＦＤＭシンボルを含む）を占有し、各Ｓｌｏｔ内でＮ個のＯＦＤＭシンボルに分布し、物理信号が占有するＯＦＤＭシンボル間の間隔は、Ｓｔ（個のＯＦＤＭシンボル）であり、物理信号を搬送するために、周波数方向に１２個のサブキャリアごとにＳｆ個のサブキャリアが使用される。
【０１１４】
図７を参照する。図７は、本開示の実施例３の時間周波数同期のための物理信号の占有するタイムスロット内で占有する時間周波数リソース位置を示す図である。図７から分かるように、時間周波数同期のための物理信号（メッシュ付きブロック）は、５０個のＰＲＢ（物理リソースブロック）に分布し、２個のＳｌｏｔ（各ｓｌｏｔは、１４個のＯＦＤＭシンボルを含む）を占有し、各Ｓｌｏｔ内で２個のＯＦＤＭシンボル上に分布し、物理信号が占有するＯＦＤＭシンボル間の間隔は、７個のＯＦＤＭシンボルであり、物理信号を搬送するために、周波数方向に１２個のサブキャリアごとに３個のサブキャリアを有する。
【０１１５】
実施例４
本開示の実施例において、時間周波数同期のための物理信号の系列は、Ｇｏｌｄ系列であり、Ｇｏｌｄ系列は、以下のように生成される。
【０１１６】
１つの系列は、以下のように初期化される。
Ｇｏｌｄ系列は、２つのｍ系列の排他的論理和であり、出力されるＧｏｌｄ系列ｃ（ｎ）の長さは、Ｍである。ここで、ｎ＝０，１，...，Ｍ−１。
ｃ（ｎ）＝（ｘ1（ｎ＋ＮC）＋ｘ2（ｎ＋ＮC））ｍｏｄ２  （１）
ｘ1（ｎ＋３ｌ）＝（ｘ1（ｎ＋３）＋ｘ1（ｎ））ｍｏｄ２  （２）
ｘ2（ｎ＋３ｌ）＝（ｘ2（ｎ＋３）＋ｘ2（ｎ＋２）＋ｘ2（ｎ＋１）＋ｘ2（ｎ））ｍｏｄ２  （３）
ここで、ＮC＝１６００、Ｘ1の初期化状態は、
ｘ1（０）＝１，ｘ1（ｎ）＝０，ｎ＝１，２，...，３０
であり、Ｘ2の初期化状態は、
ｃinit＝（２10・（１４ｎs，f＋ｌ＋１）（２ｎID＋１）＋ｎID）ｍｏｄ２31 
である。
ここで、ｎIDは、セル／仮想セルＩＤ、異なる端末又は端末グループのＩＤ、ネットワーク機器によって設定されるＩＤのうちの少なくとも１つに関連付けられる。
【０１１７】
式（２）及び（３）は、それぞれ２つのｍ系列を生成する生成多項式を表す。
生成されたｇｏｌｄ系列は、ｄ（ｎ）＝１−２ｃ（ｎ）である。
【０１１８】
ウェイクアップ信号の系列のシンボル数をＳ（Ｓ＝Ｘ＊Ｎ＊Ｂ＊Ｓｆ）個とし、時間周波数リソースにマッピングされるシンボルが、上記で生成されたＧｏｌｄ系列に対する直交位相偏移変調（Ｑｕａｄｒａｔｕｒｅ  Ｐｈａｓｅ  Ｓｈｉｆｔ  Ｋｅｙｉｎｇ、ＱＰＳＫと略称される）であると仮定すると、Ｇｏｌｄ系列ｃの長さは、Ｍ＝２＊Ｓである。すると、時間周波数同期のための物理信号が時間周波数リソースにマッピングされるシンボルｒ（ｓ）は、以下となる。
【０１１９】
2021510246.tif 000003
【０１２０】
実施例５
本開示の実施例において、ウェイクアップ信号（ＷＵＳ）は、狭帯域の連続マッピングされた信号系列であり、例えば、長さ３１／６３／１２７／２５５のＺＣ系列、ｍ系列、ｇｏｌｄ系列、ＣＧＳ系列、又はこれらの繰り返しであり、連続するＯＦＤＭシンボル、連続するサブキャリアで、周波数領域が先であって時間領域が後であるという順序でマッピングされる。
【０１２１】
時間周波数同期のための物理信号は、実施例３及び４で説明したように生成された離散マッピングＧｏｌｄ系列である。
【０１２２】
ウェイクアップ信号は、連続的にマッピングされるリソースとして、オーバーヘッドが小さいことが利点であり、より低い複雑度でウェイクアップ信号の検出を行うのに有利である。
【０１２３】
時間周波数同期のための物理信号は、離散マッピングの系列であり、時間周波数の精密な同期及びＲＲＭ測定に有利であるという利点を有する。
【０１２４】
実施例６
本開示の実施例において、時間周波数同期のための物理信号の占有するタイムスロット内で占有する時間周波数リソース位置（すなわち、占有されているＯＦＤＭシンボルの番号及びサブキャリアのオフセット）は、Ｃｅｌｌ  ＩＤ、端末のＩＤ、及び端末が属する端末グループのＩＤのうちの少なくとも１つに関連付けられる。
【０１２５】
例えば、時間周波数同期のための物理信号の、位置するタイムスロット内の開始ＯＦＤＭシンボルの位置は、ＵＥ／ＵＥ  Ｇｒｏｕｐ  ＩＤ及び／又はＣｅｌｌ  ＩＤに基づいて算出される。例えば、ｍｏｄ（ＵＥ  ＩＤ，３）＋２は、ＯＦＤＭシンボルの開始位置である。
【０１２６】
時間周波数同期のための物理信号の、位置するタイムスロット内の開始サブキャリア位置は、Ｃｅｌｌ  ＩＤ及び／又はＵＥ／ＵＥ  Ｇｒｏｕｐ  ＩＤに基づいて計算される。例えば、開始サブキャリア番号は、ｍｏｄ（Ｃｅｌｌ  ＩＤ，４）である。
【０１２７】
本開示の実施例において、各ＯＦＤＭシンボル上の開始サブキャリア位置は、同一であっても異なってもよい。
【０１２８】
実施例７
本開示の実施例において、端末は、非連続受信状態の受信開始時点、又はアイドル状態の受信開始時点において、時間周波数同期のための物理信号の受信を、予め定義され又は設定された時間周波数リソース、又は、ＵＥ／ＵＥ  Ｇｒｏｕｐ  ＩＤに関連する時間周波数リソースで前もって行う。
【０１２９】
ダウンリンク信号の受信を行う場合、具体的なステップは、前記物理信号に基づいてチャネル推定を行い、チャネル推定に基づいてパワー遅延プロファイルと周波数オフセットの推定を行うステップと、推定したパワー遅延プロファイルに基づいて、アイドル状態又は非連続受信状態にある前記端末の次回受信の受信開始時刻を調整し、推定した周波数オフセットに基づいて、次回の受信信号に対し周波数オフセット補償を行うステップと、周波数オフセット補償を行った受信信号に基づいて、ＰＤＣＣＨ及び／又はＰＤＳＣＨの検出を行うステップである。
【０１３０】
本開示の実施例の上記方法は、ＬＴＥ、５Ｇ、他の新たに定義されたＯＦＤＭ無線通信システム、物ネットワーク通信システム、狭帯域通信システム、又は車載通信システムに適用される。
【０１３１】
同一の発明の思想に基づいて、図８を参照し、本開示の実施例は、ネットワーク機器８０を更に提供する。当該ネットワーク機器８０は、アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するための第１送信モジュール８１を含む。
【０１３２】
本開示の実施例において、アイドル状態又は非連続受信状態の端末がダウンリンク信号を受信するためにウェイクアップする必要があると判定してから、ダウンリンク信号を端末に送信する前に、時間周波数同期のための物理信号を端末に送信することによって、端末は、ダウンリンク信号の受信前に、この物理信号に基づく時間周波数同期を完了することができ、アイドル状態又は非連続受信状態における信号処理の消費電力を低減しつつ、受信性能を向上させることができる。
【０１３３】
選択可能に、前記第１送信モジュールは、アイドル状態又は非連続受信状態の端末に、前記端末をウェイクアップしてダウンリンク信号の受信を行うためのウェイクアップ信号を送信する場合、アイドル状態又は非連続受信状態の端末がダウンリンク信号を受信するためにウェイクアップする必要があると判定することに用いられる。又は、前記第１送信モジュールは、アイドル状態又は非連続受信状態の端末に、前記端末がスリープし続けることを指示するためのスリープ信号を所定時刻に送信しない場合、アイドル状態又は非連続受信状態の端末がダウンリンク信号を受信するためにウェイクアップする必要があると判定することに用いられる。
【０１３４】
選択可能に、前記ネットワーク機器は、前記物理信号の系列を生成するための生成モジュールを更に含む。
【０１３５】
前記物理信号の系列は、Ｇｏｌｄ系列、ｍ系列、ＺＣ系列及びコンピュータ生成系列ＣＧＳのうちのいずれかである。
【０１３６】
選択可能に、前記生成モジュールは、セル識別子Ｃｅｌｌ  ＩＤ、前記端末のＩＤ、前記端末が属する端末グループのＩＤのうちの少なくとも１つに基づいて、前記物理信号の系列を生成することに用いられる。ここで、前記ネットワーク機器は、前記物理信号を端末に送信する際に、同一の端末グループに属するすべての端末に同時に前記物理信号を送信する。
【０１３７】
選択可能に、前記生成モジュールは、前記端末の国際移動加入者識別符号ＩＭＳＩ及び国際移動機器識別符号ＩＭＥＩのうちの少なくとも１つによって前記端末のＩＤを決定し、及び／又は、前記端末が属する端末グループにおける端末のＩＭＳＩ及びＩＭＥＩのうちの少なくとも１つによって前記端末が属する端末グループのＩＤを決定することに用いられる。
【０１３８】
選択可能に、前記ネットワーク機器は、前記物理信号の系列を決定するためのＩＤを前記端末に送信するための第２送信モジュールを更に含む。前記物理信号の系列を決定するためのＩＤを前記端末に送信することによって、端末は、ネットワーク機器によって設定されるＩＤに基づいて、前記物理信号の系列を決定することができる。前記物理信号の系列を決定するためのＩＤは、セル識別子Ｃｅｌｌ  ＩＤ、前記端末のＩＤ、前記端末が属する端末グループのＩＤのうちの少なくとも１つであり、又はほかのＩＤである。
【０１３９】
選択可能に、前記第１送信モジュールは、前記物理信号の設定情報を決定し、前記配置情報に基づいて、物理信号を前記端末に送信することに用いられる。
【０１４０】
選択可能に、前記ネットワーク機器は、前記物理信号の設定情報を前記端末に送信するための第３送信モジュールを更に含む。
【０１４１】
選択可能に、前記第３送信モジュールは、前記物理信号の設定情報を無線リソース制御ＲＲＣシグナリングにより前記端末に送信することに用いられる。又は、前記第３送信モジュールは、前記ウェイクアップ信号により前記物理信号の設定情報を前記端末に送信することに用いられる。
【０１４２】
選択可能に、前記第１送信モジュールは、予め定義された物理信号の設定情報を取得することに用いられる。
【０１４３】
選択可能に、前記設定情報には、前記物理信号の時間周波数リソース位置が含まれ、前記時間周波数リソース位置は、前記物理信号の占有する無線フレーム内で占有する時間周波数リソース位置及び前記物理信号の占有するタイムスロット内で占有する時間周波数リソース位置のうちの少なくとも一方を含む。
【０１４４】
選択可能に、前記第１送信モジュールは、前記ウェイクアップ信号の送信時刻及び時間オフセットＴ１（０≦Ｔ１≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソース位置を決定することに用いられる。又は、前記第１送信モジュールは、ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定することに用いられる。又は、前記第１送信モジュールは、Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定することに用いられる。
【０１４５】
選択可能に、前記ネットワーク機器は、前記端末から報告した非連続受信又はページング受信の処理能力レベルを受信するための受信モジュールと、前記処理能力レベルに応じて、前記Ｔ１又は前記Ｔ２を決定するための決定モジュールとを更に含む。
【０１４６】
選択可能に、前記第１送信モジュールは、Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定することに用いられる。
【０１４７】
選択可能に、前記物理信号の占有するタイムスロット内で占有する時間周波数リソース位置は、離散的に分布している。
【０１４８】
図９を参照し、本開示の実施例は、端末９０を更に提供する。当該端末９０は、ダウンリンク信号を受信するためにアイドル状態又は非連続受信状態からウェイクアップする必要があると判定した後に、ネットワーク機器から送信された時間周波数同期のための物理信号を受信するための第１受信モジュール９１と、前記物理信号に基づいて時間周波数同期を行うための時間周波数同期モジュール９２とを含む。
【０１４９】
本開示の実施例において、端末は、ダウンリンク信号を受信するためにアイドル状態又は非連続受信状態からウェイクアップする必要があると判定した後、時間周波数同期のための物理信号をネットワーク機器から受信する。それによって、端末は、ダウンリンク信号の受信前に、この物理信号に基づく時間周波数同期を完了することができ、アイドル状態又は非連続受信状態における信号処理の消費電力を低減しつつ、受信性能を向上させることができる。
【０１５０】
選択可能に、前記端末は、ダウンリンク信号の受信を行うための第２受信モジュールを更に含む。
【０１５１】
選択可能に、前記第１受信モジュールは、前記端末をウェイクアップしてダウンリンク信号の受信を行うためのウェイクアップ信号を前記ネットワーク機器から受信した場合、ダウンリンク信号を受信するためにアイドル状態又は非連続受信状態からウェイクアップする必要があると判定することに用いられる。又は、前記第１受信モジュールは、前記端末がスリープし続けることを指示するためのスリープ信号を所定時刻に受信しなかった場合、ダウンリンク信号を受信するためにアイドル状態又は非連続受信状態からウェイクアップする必要があると判定することに用いられる。
【０１５２】
選択可能に、前記端末は、受信した前記物理信号の系列を決定するための決定モジュールを更に含む。
【０１５３】
前記物理信号の系列は、Ｇｏｌｄ系列、ｍ系列、ＺＣ系列及びコンピュータ生成系列ＣＧＳのうちのいずれかである。
【０１５４】
選択可能に、前記決定モジュールは、セル識別子Ｃｅｌｌ  ＩＤ、前記端末のＩＤ、前記端末が属する端末グループのＩＤのうちの少なくとも１つに基づいて、前記物理信号の系列を決定することに用いられる。又は、前記決定モジュールは、前記ネットワーク機器により設定されたＩＤに基づいて、前記物理信号の系列を決定することに用いられる。
【０１５５】
選択可能に、前記決定モジュールは、前記端末の国際移動加入者識別符号ＩＭＳＩ及び国際移動機器識別符号ＩＭＥＩのうちの少なくとも１つによって前記端末のＩＤを決定し、及び／又は、前記端末が属する端末グループにおける端末のＩＭＳＩ及びＩＭＥＩのうちの少なくとも１つによって前記端末が属する端末グループのＩＤを決定することに用いられる。
【０１５６】
選択可能に、前記端末に含まれる前記第１受信モジュールは、前記物理信号の設定情報を取得し、前記設定情報に基づいて、前記ネットワーク機器から送信された物理信号を受信することに用いられる。
【０１５７】
選択可能に、前記第１受信モジュールは、前記ネットワーク機器から送信された前記物理信号の設定情報を受信することに用いられる。又は、前記第１受信モジュールは、予め定義された物理信号の設定情報を取得することに用いられる。
【０１５８】
選択可能に、前記第１受信モジュールは、前記ネットワーク機器からＲＲＣシグナリングにより送信された前記物理信号の設定情報を受信することに用いられる。又は、前記第１受信モジュールは、前記ネットワーク機器から前記ウェイクアップ信号により送信された前記物理信号の設定情報を受信することに用いられる。
【０１５９】
選択可能に、前記設定情報には、前記物理信号の時間周波数リソース位置が含まれ、前記時間周波数リソース位置は、前記物理信号の占有する無線フレーム内で占有する時間周波数リソース位置及び前記物理信号の占有するタイムスロット内で占有する時間周波数リソース位置のうちの少なくとも一方を含む。
【０１６０】
選択可能に、前記第１受信モジュールは、前記ウェイクアップ信号の送信時刻及び時間オフセットＴ１（０≦Ｔ１≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソース位置を決定することに用いられる。又は、前記第１受信モジュールは、ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定することに用いられる。又は、前記第１受信モジュールは、Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定することに用いられる。
【０１６１】
前記Ｔ１又はＴ２は、予め定義され、又は、ネットワーク機器により設定される。
【０１６２】
選択可能に、前記端末は、前記端末の非連続受信又はページング受信の処理能力レベルを前記ネットワーク機器に報告するための報告モジュールと、前記処理能力レベルに応じて前記ネットワーク機器により設定されるＴ１又はＴ２を受信するための第３受信モジュールとを更に含む。
【０１６３】
選択可能に、前記第１受信モジュールは、Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定することに用いられる。
【０１６４】
選択可能に、前記端末は、前記物理信号に基づいて、無線リソース管理ＲＲＭ測定を実行するための無線リソース管理ＲＲＭ測定モジュールを更に含む。
【０１６５】
選択可能に、前記第１受信モジュールは、前記ウェイクアップ信号と前記物理信号を同一の受信機で受信することに用いられる。又は、前記第１受信モジュールは、前記ウェイクアップ信号と前記物理信号を異なる受信機で受信することに用いられる。
【０１６６】
選択可能に、前記第２受信モジュールは、前記物理信号に基づいてチャネル推定を行い、チャネル推定に基づいてパワー遅延プロファイルと周波数オフセットの推定を行うことと、推定したパワー遅延プロファイルに基づいて、アイドル状態又は非連続受信状態にある前記端末の次回受信の受信開始時刻を調整し、推定した周波数オフセットに基づいて、次回の受信信号に対し周波数オフセット補償を行うことと、周波数オフセット補償を行った受信信号に基づいて、ＰＤＣＣＨ及び／又はＰＤＳＣＨの検出を行うこととに用いられる。
【０１６７】
本開示の実施例は、プロセッサと、メモリと、前記メモリに記憶され、前記プロセッサで動作するコンピュータプログラムとを含むネットワーク機器を更に提供し、前記コンピュータプログラムが前記プロセッサによって実行されると、上記のネットワーク機器に応用される時間周波数同期方法のステップが実現される。
【０１６８】
本開示の実施例は、プロセッサと、メモリと、前記メモリに記憶され、前記プロセッサで動作するコンピュータプログラムとを含む端末を更に提供し、前記コンピュータプログラムが前記プロセッサによって実行されると、上記の端末に応用される時間周波数同期方法のステップが実現される。
【０１６９】
本開示の実施例は、コンピュータプログラムが記憶されているコンピュータ読み取り可能な記憶媒体を更に提供し、前記コンピュータプログラムがプロセッサによって実行されると、上記のネットワーク機器に応用される時間周波数同期方法のステップが実現される。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０１７０】
本開示の実施例は、コンピュータプログラムが記憶されているコンピュータ読み取り可能な記憶媒体を更に提供し、前記コンピュータプログラムがプロセッサによって実行されると、上記の端末に応用される時間周波数同期方法のステップが実現される。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０１７１】
図１０は、本開示の各実施例を実現する一種の移動端末のハードウェア構造を示す図である。当該移動端末１００は、ラジオ周波数ユニット１０１と、ネットワークモジュール１０２と、音声出力ユニット１０３と、入力ユニット１０４と、センサ１０５と、表示ユニット１０６と、ユーザ入力ユニット１０７と、インターフェイスユニット１０８と、メモリ１０９と、プロセッサ１０１０と、電源１０１１などの構成要素を含むが、これらに限定されない。図１０に示される移動端末の構造は、移動端末を限定するものではなく、移動端末は、図示されるよりも多い又は少ない構成要素を含むことができ、又は一部の構成要素を組み合わせることができ、又は異なる構成要素の構成を含むことができることを、当業者は理解可能である。本開示の実施例において、移動端末は、携帯電話、タブレットパソコン、ノートパソコン、パームトップパソコン、車載端末、ウェアラブルデバイス及び歩数計などを含むが、それらに限定されない。
【０１７２】
ここで、ラジオ周波数ユニット１０１は、ダウンリンク信号を受信するためにアイドル状態又は非連続受信状態からウェイクアップする必要があると判定した後、時間周波数同期のための物理信号をネットワーク機器から受信することに用いられる。プロセッサ１１０は、前記物理信号に基づいて時間周波数同期を行うことに用いられる。
【０１７３】
本開示の実施例において、端末は、ダウンリンク信号を受信するためにアイドル状態又は非連続受信状態からウェイクアップする必要があると判定した後、時間周波数同期のための物理信号をネットワーク機器から受信する。それによって、端末は、ダウンリンク信号の受信前に、この物理信号に基づく時間周波数同期を完了することができ、アイドル状態又は非連続受信状態における信号処理の消費電力を低減しつつ、受信性能を向上させることができる。
【０１７４】
なお、本開示の実施例において、ラジオ周波数ユニット１０１は、情報の送受信又は通話中で信号の送受信に用いられ、具体的に、ネットワーク機器からのダウンリンクデータを受信した後、プロセッサ１０１０による処理をさせ、また、アップリンクデータをネットワーク機器に送信する。一般に、ラジオ周波数ユニット１０１は、アンテナ、少なくとも１つの増幅器、トランシーバ、結合器、低雑音増幅器、デュプレクサなどを含むが、それらに限定されない。また、ラジオ周波数ユニット１０１は、無線通信システムを介してネットワークや他の機器と通信を行うこともできる。
【０１７５】
移動端末は、ネットワークモジュール１０２を介して、電子メールの送受信、ウェブページの閲覧、ストリーミングメディアへのアクセスを支援するなど、無線ブロードバンドインターネットアクセスをユーザに提供する。
【０１７６】
音声出力ユニット１０３は、ラジオ周波数ユニット１０１やネットワークモジュール１０２が受信した音声データや、メモリ１０９に記憶された音声データを音声信号に変換して音声として出力することができる。また、音声出力ユニット１０３は、移動端末１００が実行する決定の機能に関する音声（例えば、呼出信号着信音、メッセージ着信音等）を出力してもよい。音声出力ユニット１０３は、スピーカ、ブザー及びレシーバなどを含む。
【０１７７】
入力ユニット１０４は、音声や映像の信号を受信することに用いられる。入力ユニット１０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１０４１と、マイク１０４２とを含む。処理された画像フレームは、表示ユニット１０６上に表示される。グラフィックスプロセッサ１０４１で処理された画像フレームは、メモリ１０９（又は他の記憶媒体）に記憶されるか、又はラジオ周波数ユニット１０１又はネットワークモジュール１０２を介して送信される。マイク１０４２は、音声を受信し、音声データに加工することができる。処理された音声データは、電話通話モードの場合、ラジオ周波数ユニット１０１を介して移動体通信基地局に送信可能な形式に変換して出力することができる。
【０１７８】
移動端末１００は、光センサ、モーションセンサ及び他のセンサのような少なくとも１つのセンサ１０５を更に含む。具体的には、光センサは、周辺光センサ及び近接センサを含む。周辺光センサは、周辺光の明暗に応じて表示パネル１０６１の輝度を調節し、近接センサは、移動端末１００が耳に移動したときに表示パネル１０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ１０５は、指紋センサ、圧力センサ、虹彩センサ、分子センサ、ジャイロスコープ、気圧計、湿度計、温度計、赤外線センサなどを更に含むことができるが、ここでは枚挙しない。
【０１７９】
表示ユニット１０６は、ユーザが入力した情報やユーザに提供した情報を表示するために用いられる。表示ユニット１０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１０６１を含んでもよい。
【０１８０】
ユーザ入力ユニット１０７は、数字や文字情報の入力を受け付け、ユーザによる端末の設定や機能制御に関するキー信号の入力を行うことに用いられる。具体的に、ユーザ入力ユニット１０７は、タッチパネル１０７１と、その他の入力装置１０７２とを含む。タッチパネル１０７１は、タッチスクリーンとも呼ばれ、その上又は付近でのユーザのタッチ操作を取得可能である（たとえばユーザが指やスタイラスなどの任意の適切な物体や付属部材を用いたタッチパネル１０７１の上又はタッチパネル１０７１の付近での操作）。タッチパネル１０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１０１０に送り、プロセッサ１０１０からの命令を受信して実行する。なお、タッチパネル１０７１は、抵抗式、静電容量式、赤外線、表面弾性波など、種々の方式を用いて実現することができる。ユーザ入力ユニット１０７は、タッチパネル１０７１の他に、他の入力装置１０７２を含んでもよい。具体的に、他の入力装置１０７２は、物理的なキーボード、機能キー（例えば、音量調節キー、スイッチキーなど）、トラックボール、マウス、レバーを含むが、ここでは枚挙しない。
【０１８１】
更に、タッチパネル１０７１は、表示パネル１０６１に重ねられる。タッチパネル１０７１は、その上又はその近くでタッチ操作を検出すると、プロセッサ１０１０に送信して、タッチイベントのタイプを決定する。次いで、プロセッサ１０１０は、タッチイベントのタイプに応じて、対応する視覚的出力を表示パネル１０６１に提供する。図１０では、タッチパネル１０７１と表示パネル１０６１は、独立した２つの部品として移動端末の入出力機能を実現するが、実施例によっては、タッチパネル１０７１と表示パネル１０６１を一体化して移動端末の入出力機能を実現することもでき、具体的にここでは限定しない。
【０１８２】
インターフェイスユニット１０８は、外部装置と移動端末１００とを接続するためのインターフェィスである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット１０８は、外部装置から入力（たとえば、データ情報、電力など）を受信し、受信した入力を移動端末１００内の１つ以上の要素に伝送するために使用されてもよく、又は移動端末１００と外部装置との間でデータを伝送するために使用されてもよい。
【０１８３】
メモリ１０９は、ソフトウェアプログラム及び様々なデータを格納するために使用される。メモリ１０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１０９は、高速ランダムアクセスメモリを含んでもよく、少なくとも１つの磁気ディスク記憶装置、フラッシュメモリデバイス、又は他の揮発性固体記憶デバイスなどの非揮発性メモリを含んでもよい。
【０１８４】
プロセッサ１０１０は、端末の制御センタであり、各種インターフェィスや回線を用いて端末全体の各部を接続し、メモリ１０９に格納されたソフトウェアプログラム及び／又はモジュールを実行、メモリ１０９に格納されたデータを呼び出して端末の各種機能及び処理データを実行し、端末全体の監視を行う。プロセッサ１０１０は、１つ以上の処理ユニットを含んでもよい。選択可能に、プロセッサ１０１０は、オペレーティングシステム、ユーザインターフェィス及びアプリケーションなどを主に処理するアプリケーションプロセッサと、ワイヤレス通信を主に処理するモデムプロセッサとを統合することができる。上述のモデムプロセッサは、プロセッサ１０１０に統合されなくてもよいことが理解される。
【０１８５】
移動端末１００は、各構成要素に電力を供給するためのバッテリのような電源１０１１を更に含んでもよい。選択可能に、電源１０１１は、電源管理システムを介してプロセッサ１０１０に論理的に接続されてもよく、電源管理システムを介して充電、放電、及び消費電力管理などを管理する機能を実現してもよい。
【０１８６】
また、移動端末１００は、図示しない機能モジュールを更に含んでもよく、ここでの説明は省略する。
【０１８７】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１８８】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の移動端末（携帯電話、コンピュータ、サーバー、空調機又はネットワークデバイスなど）に実行させるいくつかの指令を含む。
【０１８９】
以上、本開示の実施例を図面に基づいて記載したが、本開示は、上記の具体的な実施形態に限定されるものではない。上記の具体的な実施形態は、例示的なものであり、限定的なものではない。本開示の示唆を受け、当業者が本開示の趣旨及び特許請求の範囲から逸脱することなくなしえる多くの形態は、すべて本開示の保護範囲に含まれる。
【図１】
2021510246.tif 000004
【図２】
2021510246.tif 000005
【図３】
2021510246.tif 000006
【図４】
2021510246.tif 000007
【図５】
2021510246.tif 000008
【図６】
2021510246.tif 000009
【図７】
2021510246.tif 000010
【図８】
2021510246.tif 000011
【図９】
2021510246.tif 000012
【図１０】
2021510246.tif 000013
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
端末に応用される時間周波数同期方法において、
ダウンリンク信号を受信するためにアイドル状態又は非連続受信状態からウェイクアップする必要があると判定した後に、ネットワーク機器から送信された時間周波数同期のための物理信号を受信するステップと、
前記物理信号に基づいて時間周波数同期を行うステップとを含む、時間周波数同期方法。
【請求項２】
前記端末をウェイクアップしてダウンリンク信号の受信を行うためのウェイクアップ信号を前記ネットワーク機器から受信した場合、ダウンリンク信号を受信するためにアイドル状態又は非連続受信状態からウェイクアップする必要があると判定し、又は、
前記端末がスリープし続けることを指示するためのスリープ信号を所定時刻に受信しなかった場合、ダウンリンク信号を受信するためにアイドル状態又は非連続受信状態からウェイクアップする必要があると判定する、請求項１に記載の時間周波数同期方法。
【請求項３】
前記物理信号に基づいて時間周波数同期を行うステップの前に、
受信した前記物理信号の系列を決定するステップを更に含み
前記物理信号の系列は、Ｇｏｌｄ系列、ｍ系列、ＺＣ系列及びコンピュータ生成系列ＣＧＳのうちのいずれかである、請求項１に記載の時間周波数同期方法。
【請求項４】
前記物理信号の系列を決定するステップは、
セル識別子Ｃｅｌｌ  ＩＤ、前記端末のＩＤ、前記端末が属する端末グループのＩＤのうちの少なくとも１つに基づいて、前記物理信号の系列を決定するステップ、又は、
前記ネットワーク機器により設定されたＩＤに基づいて、前記物理信号の系列を決定するステップを含み、前記端末のＩＤは、前記端末の国際移動加入者識別符号ＩＭＳＩ及び国際移動機器識別符号ＩＭＥＩのうちの少なくとも１つによって決定され、及び／又は、
前記端末が属する端末グループのＩＤは、前記端末が属する端末グループにおける端末のＩＭＳＩ及びＩＭＥＩのうちの少なくとも１つによって決定される、請求項３に記載の時間周波数同期方法。
【請求項５】
前記のネットワーク機器から送信された物理信号を受信するステップは、
前記物理信号の設定情報を取得するステップと、
前記設定情報に基づいて、前記ネットワーク機器から送信された物理信号を受信するステップとを含む、請求項２に記載の時間周波数同期方法。
【請求項６】
前記物理信号の設定情報を取得するステップは、
前記ネットワーク機器から送信された前記物理信号の設定情報を受信するステップ、又は、
予め定義された物理信号の設定情報を取得するステップを含む、請求項５に記載の時間周波数同期方法。
【請求項７】
前記ネットワーク機器から送信された前記物理信号の設定情報を受信するステップは、
前記ネットワーク機器からＲＲＣシグナリングにより送信された前記物理信号の設定情報を受信するステップ、又は、
前記ネットワーク機器から前記ウェイクアップ信号により送信された前記物理信号の設定情報を受信するステップを含む、請求項６に記載の時間周波数同期方法。
【請求項８】
前記設定情報には、前記物理信号の時間周波数リソース位置が含まれ、前記時間周波数リソース位置は、前記物理信号の占有する無線フレーム内で占有する時間周波数リソース位置及び前記物理信号の占有するタイムスロット内で占有する時間周波数リソース位置のうちの少なくとも一方を含む、請求項６に記載の時間周波数同期方法。
【請求項９】
前記物理信号の設定情報を取得するステップは、
前記ウェイクアップ信号の送信時刻及び時間オフセットＴ１（０≦Ｔ１≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソース位置を決定するステップ、又は、
ＰＯ／ＤＲＸ  Ｏｎ  Ｄｕｒａｔｉｏｎの開始時間位置及び時間オフセットＴ２（０≦Ｔ２≦Ｔ０（Ｔ０：前記ウェイクアップ信号とＰＯ／ＤＲＸ  Ｏｎ  Ｄｕｒａｔｉｏｎの開始時間位置との間の時間間隔））に基づいて、前記物理信号の占有する無線フレーム内で占有する時間周波数リソースを決定するステップ、又は、
Ｃｅｌｌ  ＩＤと、前記端末のＩＤと、前記端末が属する端末グループのＩＤのうちの少なくとも１つに基づいて、前記物理信号の占有する無線フレーム内で占有する時間周波数リソースを決定するステップ、又は、
Ｃｅｌｌ  ＩＤと、前記端末のＩＤと、前記端末が属する端末グループのＩＤのうちの少なくとも１つに基づいて、物理信号の占有するタイムスロット内で占有する時間周波数リソース位置を決定するステップを含む、請求項８に記載の時間周波数同期方法。
【請求項１０】
前記Ｔ１又はＴ２は、予め定義され、又は、ネットワーク機器により設定され、
前記時間周波数同期方法は、
前記端末の非連続受信又はページング受信の処理能力レベルを前記ネットワーク機器に報告するステップと、
前記処理能力レベルに応じて前記ネットワーク機器により設定されるＴ１又はＴ２を受信するステップとを更に含む、請求項９に記載の時間周波数同期方法。
【請求項１１】
前記のネットワーク機器から送信された物理信号を受信するステップの後に、
前記物理信号に基づいて、無線リソース管理ＲＲＭ測定を実行するステップを更に含む、請求項１に記載の時間周波数同期方法。
【請求項１２】
ネットワーク機器に応用される時間周波数同期方法において、
アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するステップを含む、時間周波数同期方法。
【請求項１３】
アイドル状態又は非連続受信状態の端末に、前記端末をウェイクアップしてダウンリンク信号の受信を行うためのウェイクアップ信号を送信する場合、アイドル状態又は非連続受信状態の端末がダウンリンク信号を受信するためにウェイクアップする必要があると判定し、又は、
アイドル状態又は非連続受信状態の端末に、前記端末がスリープし続けることを指示するためのスリープ信号を所定時刻に送信しない場合、アイドル状態又は非連続受信状態の端末がダウンリンク信号を受信するためにウェイクアップする必要があると判定する、請求項１２に記載の時間周波数同期方法。
【請求項１４】
ダウンリンク信号を受信するためにアイドル状態又は非連続受信状態からウェイクアップする必要があると判定した後に、ネットワーク機器から送信された時間周波数同期のための物理信号を受信するための第１受信モジュールと、
前記物理信号に基づいて時間周波数同期を行うための時間周波数同期モジュールとを含む、端末。
【請求項１５】
アイドル状態又は非連続受信状態の端末がダウンリンク信号を受信するためにウェイクアップする必要があると判定した後、及び、ダウンリンク信号を前記端末に送信する前に、時間周波数同期のための物理信号を前記端末に送信するための第１送信モジュールを含む、ネットワーク機器。
【国際調査報告】
2021510246.tif 000014
2021510246.tif 000015
2021510246.tif 000016
2021510246.tif 000017